(57)【特許請求の範囲】
【請求項１】
歩行型の走行機体に着脱可能に連結され、該走行機体から動力を受け、元畦の一部及び圃場を耕耘して元畦側に畦状に盛り上げる前処理体、及びこの前処理体により耕耘された土壌を回転しながら畦に成形する整畦体を備えた畦塗り機において、  前記走行機体の移動方向後部に着脱可能に接続され、前記整畦体に前記走行機体からの動力を伝達する伝動フレームと、  前記伝動フレームの移動方向後部に一端部が固着され、他端部が前記整畦体を跨いだ位置にある支持アームとを備え、 前記整畦体は前記伝動フレーム側の一端部において前記伝動フレームに支持され、他端部において前記支持アームの前記他端部に支持されていることを特徴とする畦塗り機。
【請求項２】
前記伝動フレームの移動方向前部に接続され、ロータリ耕耘装置からなる前記前処理体に前記走行機体からの動力を伝達する駆動ケースを備えることを特徴とする請求項１に記載の畦塗り機。
【請求項３】
前記前処理体と前記整畦体との間に、前記前処理体により耕耘された土壌を成形する畦側に案内する土揚げ板を設け、前記整畦体の側方に、前記整畦体の回転を安定させるための安定板を設けたことを特徴とする請求項１、もしくは請求項２に記載の畦塗り機。
【発明の詳細な説明】
【０００１】
【発明の属する技術分野】
本発明は、歩行型の走行機体に着脱可能で走行機体から動力を受けて機体後方に延びる伝動フレームに、前処理体及び整畦体とを装着して整畦作業を行うようにした歩行型の畦塗り機に関する。
【０００２】
【従来の技術】
従来、歩行型の走行機体に着脱可能に連結され、該走行機体から動力を受け、元畦の一部及び圃場を耕耘して元畦側に畦状に盛り上げる前処理体、及びこの前処理体により耕耘された土壌を回転しながら畦に成形する整畦体を備えた歩行型の畦塗り機が周知である。
【０００３】
【発明が解決しようとする課題】
上記従来の歩行型畦塗り機においては、歩行型の走行機体に対し前処理体と整畦体とを別々に装着したり、走行機体から前処理体及び整畦体への動力伝達を別々の伝動機構により行ったりしているため、構造が複雑となり、重量が重くなるという問題点があった。また、前処理体により耕耘された土壌の処理が十分でなく、偏心回転して整畦作業を行う整畦体にあっては、その回転振動が機体全体に伝わって機体の直進性が悪くなったり、作業者の疲労が大きくなったりするという問題点もあった。
本発明は、これらの問題点を解決することを目的になされたものである。
【０００４】
【課題を解決するための手段】
上記の目的を達成するために本発明は、  歩行型の走行機体に着脱可能に連結され、該走行機体から動力を受け、元畦の一部及び圃場を耕耘して元畦側に畦状に盛り上げる前処理体、及びこの前処理体により耕耘された土壌を回転しながら畦に成形する整畦体を備えた畦塗り機において、  前記走行機体の移動方向後部に着脱可能に接続され、前記整畦体に前記走行機体からの動力を伝達する伝動フレームと、前記伝動フレームの移動方向後部に一端部が固着され、他端部が前記整畦体を跨いだ位置にある支持アームとを備え、前記整畦体は前記伝動フレーム側の一端部において前記伝動フレームに支持され、他端部において前記支持アームの前記他端部に支持されていることを特徴としている。  また、前記伝動フレームの移動方向前部に接続され、ロータリ耕耘装置からなる前記前処理体に前記走行機体からの動力を伝達する駆動ケースを備えることを特徴としている。
【０００５】
また、前記前処理体と前記整畦体との間に、前記前処理体により耕耘された土壌を成形する畦側に案内する土揚げ板を設け、前記整畦体の側方に、前記整畦体の回転を安定させるための安定板を設けたことを特徴としている。
【０００６】
【作用】
上記構成により本発明の畦塗り機は、走行機体の移動方向後部に着脱可能に接続され、整畦体に走行機体からの動力を伝達する伝動フレームと、伝動フレームの移動方向後部に一端部が固着され、他端部が整畦体を跨いだ位置にある支持アームとを備え、整畦体は伝動フレーム側の一端部において伝動フレームに支持され、他端部において支持アームの他端部に支持されていること、さらに、伝動フレームの移動方向前部に接続され、ロータリ耕耘装置からなる前処理体に走行機体からの動力を伝達する駆動ケースを備えることで、前処理体及び整畦体の連結・伝動構造が簡単となり、軽量化が図られる。また、前処理体と整畦体との間に、前処理体により耕耘された土壌を成形する畦側に案内する土揚げ板を設け、整畦体の側方に、整畦体の回転を安定させるための安定板を設けたことで、前処理体により耕耘された土壌は土揚げ板により整畔される側に寄せられて整畦体により所望の畦が成形され、整畦体の偏心回転による振動は、安定板により吸収、緩和されて機体の直進性を悪くすることがなく、また、作業者の疲労を軽減する。
【０００７】
【発明の実施の形態】
以下、本発明の実施の形態を添付の図面を参照して具体的に説明する。
図１において、符号１は通称管理機といわれている歩行型の走行機体（トラクタ）で、左右一対の走行車輪２を有する機体にエンジン３を搭載し、操縦ハンドル４を設け、前記エンジン３により変速されて走行車輪２に動力伝達して回転駆動すると共に、機体に着脱可能に連結される作業部６に対して、後方に延びる伝動フレーム７を介して前処理体９及び整畦体（多角円錐状ドラム）１０に動力伝達する変速機５を有している。走行機体１は、この実施例では、矢印で示すように、後進しながら図２に示すように整畦作業に使用される。
【０００８】
作業部６の伝動フレーム７は、動力伝達を行うケースと前処理体９及び整畦体１０を支持する支持フレームとを兼ねており、その前部において駆動ケース８を介して動力を受けてアップカット方向に回転するロータリ耕耘装置からなる前処理体９を支持している。前処理体９は、元畦の一部及び圃場を耕耘して元畦側に畦状に盛り上げる機能を有している。
【０００９】
また、伝動フレーム７の後端部には、整畦体を構成する多角円錐状ドラム１０及び水平筒状体１１が回転駆動するように支持されている。水平筒状体１１の外端部は、一端が伝動フレーム７に固着され、多角円錐状ドラム１０及び水平筒状体１１を跨ぐようにして延びた支持アーム１２の他端部に軸支されている。多角円錐状ドラム１０の上方はドラムカバー１３により覆われている。多角円錐状ドラム１０は、伝動フレーム７から突設された回転軸に対して偏心回転するように取付けられ、前処理体９により耕耘された土壌を回転しながら叩打して畦に成形する機能を有している。水平筒状体１１は、多角円錐状ドラム１０により成形された畦の頂部に転接しながら平らにする機能を有している。なお、多角円錐状ドラム１０は、多角円錐ドラムに限らず円錐ドラムや他の形状のドラムにしてもよいものである。
【００１０】
前処理体９と整畦体（多角円錐状ドラム）１０との間に、前処理体９により耕耘された土壌を成形する畦側に案内する土揚げ板１４を設けている。また、整畦体１０の側方には、多角円錐状ドラム１０の偏心回転を安定させるための安定板１５が設けられている。さらに、整畦体１０の移動方向後側には、作業部６が作業を行わずに路上を移動する場合に使用される移動用車輪１６が着脱可能に設けられ、前・後進可能にしている。
【００１１】
このような構成の歩行型の畦塗り機においては、図１に示すように、走行機体１の移動方向後部に図示しないヒッチを介して作業部６を装着し、変速機５から伝動フレーム７に動力伝達するように接続し、伝動フレーム７から駆動ケース８を介して前処理体９に、また、整畦体１０にそれぞれ動力伝達して回転駆動させる。そして、図２に示すように、走行機体１が後進する状態で圃場において整畦作業を行う。
【００１２】
前処理体９では元畦の一部及び圃場を耕耘して、土揚げ板１４により元畦側に案内して畦状に盛り上げ、その盛り上げられた土壌を整畦体の多角円錐状ドラム１０の多角の整畦面が偏心回転して畦法面を叩いて目的とする畦に成形する。また、水平筒状体１１により多角円錐状ドラム１０によって成形された畦の頂部を平らに成形して畦Ｎを完成させる。この整畦作業時に、偏心回転する多角円錐状ドラム１０の振動は、多角円錐状ドラム１０の側方に設けられた安定板１５によって、吸収、緩和（減衰）されて機体の直進性を悪くすることがなく、また、作業者の疲労を軽減させる。畦塗り機１が作業を行わず路上走行するときは、移動用車輪１６を装着することにより、前・後進自在である。
【００１３】
【発明の効果】
以上説明したように本発明の畦塗り機によれば、上記の構成により以下の作用効果を奏することができる。
【００１４】
走行機体の移動方向後部に着脱可能に接続され、整畦体に走行機体からの動力を伝達する伝動フレームと、伝動フレームの移動方向後部に一端部が固着され、他端部が整畦体を跨いだ位置にある支持アームとを備え、整畦体は伝動フレーム側の一端部において伝動フレームに支持され、他端部において支持アームの他端部に支持されていること、さらに、伝動フレームの移動方向前部に接続され、ロータリ耕耘装置からなる前処理体に走行機体からの動力を伝達する駆動ケースを備えることで、前処理体及び整畦体の連結・伝動構造が簡単となり、機体の軽量化を図ることができる。
【００１５】
前処理体と整畦体との間に、前処理体により耕耘された土壌を成形する畦側に案内する土揚げ板を設け、整畦体の側方に、整畦体の回転を安定させるための安定板を設けたので、前処理体により耕耘された土壌は土揚げ板により整畔される側に案内されて整畦体により所望の畦を成形することができる。また、整畦体の偏心回転による振動は、安定板により吸収、緩和（減衰）されて機体の直進性を悪くすることがなく、作業者の疲労を軽減することができる。
【図面の簡単な説明】
【図１】本発明による歩行型畦塗り機の斜視図である。
【図２】同作業状態の斜視図である。
【符号の説明】
１  歩行型の走行機体
２  走行車輪
３  エンジン
４  操縦ハンドル
５  変速機
６  作業部
７  伝動フレーム（支持フレーム兼用）
８  駆動ケース
９  前処理体（ロータリ耕耘装置）
１０  整畦体（多角円錐状ドラム）
１１  水平筒状体
１２  支持アーム
１３  ドラムカバー
１４  土揚げ板
１５  安定板
１６  移動用車輪
Ｎ  完成された畦
【図１】
0004318823.tif 000002
【図２】
0004318823.tif 000003